【手続補正書】
【提出日】平成30年2月6日(2018.2.6)
【手続補正１】
【補正対象書類名】特許請求の範囲
【補正対象項目名】全文
【補正方法】変更
【補正の内容】
【特許請求の範囲】
【請求項１】
無線通信ネットワーク環境内のデバイス間通信をサポートするモバイル無線通信デバイスであって、リソース割当用のスケジュールリソース割当モード及び自律リソース選択モードの２つのモードで動作可能で、前記スケジュールリソース割当モードを使用するように構成されているモバイル無線通信デバイスに、無線リソース割当モードに応じた無線リソースを示す方法であって、
前記モバイル無線通信デバイスから基地局へ、ＢＳＲ（ｂｕｆｆｅｒ  ｓｔａｔｕｓ  ｒｅｐｏｒｔ）をシグナリングするステップと、
前記基地局から前記モバイル無線通信デバイスへ、前記デバイス間通信用に前記自律リソース選択モードで使用される無線リソースのプールを識別する第１構成ＩＥ（ｉｎｆｏｒｍａｔｉｏｎ  ｅｌｅｍｅｎｔ）を、ＳＩＢ（ｓｙｓｔｅｍ  ｉｎｆｏｒｍａｔｉｏｎ  ｂｌｏｃｋ）を用いて、シグナリングすると共に、時間期間を定義する第２構成ＩＥを、ＲＲＣ  ｄｅｄｉｃａｔｅｄシグナリングを用いて、シグナリングするステップと、
前記モバイル無線通信デバイスが、前記スケジュールリソース割当モードを使用するように構成されているときに、前記自律リソース選択モードの使用を開始して、前記第１構成ＩＥにより識別された前記プールを使用するステップと、を含み、
前記モバイル無線通信デバイスは、前記基地局により前記ＲＲＣ  ｄｅｄｉｃａｔｅｄシグナリングを用いてシグナリングされた前記第２構成ＩＥにより定義された時間期間に、前記第１構成ＩＥにより識別された前記プールを使用する、
方法。
【請求項２】
前記第１構成ＩＥは、前記モバイル無線通信デバイスに提供される無線リソースの最大数のインジケーションを含む、
請求項１に記載の方法。
【請求項３】
モバイル無線通信デバイス及び基地局を備えたシステムであって、前記モバイル無線通信デバイスが、無線通信ネットワーク環境内のデバイス間通信をサポートし、リソース割当用のスケジュールリソース割当モード及び自律リソース選択モードの２つのモードで動作可能で、前記スケジュールリソース割当モードを使用するように構成されており、前記モバイル無線通信デバイスに、無線リソース割当モードの割当に応じた無線リソースを示すシステムであって、
前記モバイル無線通信デバイスは、前記基地局へ、ＢＳＲ（ｂｕｆｆｅｒ  ｓｔａｔｕｓ  ｒｅｐｏｒｔ）をシグナリングするように構成され、
前記基地局は、前記モバイル無線通信デバイスへ、前記デバイス間通信用に前記自律リソース選択モードで使用される無線リソースのプールを識別する第１構成ＩＥ（ｉｎｆｏｒｍａｔｉｏｎ  ｅｌｅｍｅｎｔ）を、ＳＩＢ（ｓｙｓｔｅｍ  ｉｎｆｏｒｍａｔｉｏｎ  ｂｌｏｃｋ）を用いて、シグナリングすると共に、時間期間を定義する第２構成ＩＥを、ＲＲＣ  ｄｅｄｉｃａｔｅｄシグナリングを用いて、シグナリングするように構成され、
前記モバイル無線通信デバイスは、前記スケジュールリソース割当モードを使用するように構成されているときに、前記自律リソース選択モードの使用を開始して、前記第１構成ＩＥにより識別された前記プールを使用するように構成され、
前記モバイル無線通信デバイスは、前記基地局により前記ＲＲＣ  ｄｅｄｉｃａｔｅｄシグナリングを用いてシグナリングされた前記第２構成ＩＥにより定義された時間期間に、前記第１構成ＩＥにより識別された前記プールを使用するように構成されている、
システム。
【請求項４】
前記基地局は、前記モバイル無線通信デバイスに提供される無線リソースの最大数、又は、前記モバイル無線通信デバイスが前記自律リソース選択モードに留まっていることができる時間長に関連するパラメータの１つ以上を含む構成ＩＥを提供するように構成されている、
請求項３に記載のシステム。
【請求項５】
無線通信ネットワークの基地局であって、
コントローラと、
前記コントローラに接続されたトランシーバと、を備え、
前記コントローラは、前記トランシーバを制御して、
モバイル無線通信デバイスによりシグナリングされたＢＳＲ（ｂｕｆｆｅｒ  ｓｔａｔｕｓ  ｒｅｐｏｒｔ）を受信し、
無線通信ネットワーク環境内のデバイス間通信をサポートするモバイル無線通信デバイスであって、リソース割当用のスケジュールリソース割当モード及び自律リソース選択モードの２つのモードで動作可能なモバイル無線通信デバイスに、無線リソース割当モードに応じた無線リソースを示し、
前記デバイス間通信用に前記自律リソース選択モードで使用される無線リソースのプールを識別する第１構成ＩＥ（ｉｎｆｏｒｍａｔｉｏｎ  ｅｌｅｍｅｎｔ）を、ＳＩＢ（ｓｙｓｔｅｍ  ｉｎｆｏｒｍａｔｉｏｎ  ｂｌｏｃｋ）を用いて、シグナリングすると共に、前記モバイル無線通信デバイスが前記第１構成ＩＥにより識別された前記プールを使用する時間期間を定義する第２構成ＩＥを、ＲＲＣ  ｄｅｄｉｃａｔｅｄシグナリングを用いて、シグナリングする、
ように構成されている、
基地局。
【請求項６】
無線通信ネットワーク内のデバイス間通信をサポートするモバイル無線通信デバイスであって、
コントローラと、
前記コントローラに接続されたトランシーバと、を備え、
前記コントローラは、リソース割当用のスケジュールリソース割当モード及び自律リソース選択モードの２つのモードのいずれかで動作するように前記モバイル無線通信デバイスを制御するように構成され、
前記コントローラは、ＢＳＲ（ｂｕｆｆｅｒ  ｓｔａｔｕｓ  ｒｅｐｏｒｔ）を基地局へ送信するよう前記トランシーバを制御するように構成され、
前記コントローラは、前記基地局から、前記デバイス間通信用に前記自律リソース選択モードで使用される無線リソースのプールを識別する第１構成ＩＥ（ｉｎｆｏｒｍａｔｉｏｎ  ｅｌｅｍｅｎｔ）を、ＳＩＢ（ｓｙｓｔｅｍ  ｉｎｆｏｒｍａｔｉｏｎ  ｂｌｏｃｋ）を用いて、受信すると共に、時間期間を定義する第２構成ＩＥを含むＲＲＣ  ｄｅｄｉｃａｔｅｄシグナリングを受信するよう前記トランシーバを制御するように構成され、
前記コントローラは、前記モバイル無線通信デバイスが前記スケジュールリソース割当モードを使用するように構成されているときに、前記自律リソース選択モードの使用を開始して、前記第１構成ＩＥにより識別された前記プールを使用するように構成され、
前記コントローラは、前記基地局により前記ＲＲＣ  ｄｅｄｉｃａｔｅｄシグナリングを用いてシグナリングされた前記第２構成ＩＥにより定義された時間期間に、前記第１構成ＩＥにより識別された前記プールを使用するよう前記モバイル無線通信デバイスを制御するように構成されている、
モバイル無線通信デバイス。
【請求項７】
無線通信ネットワーク環境内のデバイス間通信をサポートするモバイル無線通信デバイスであって、リソース割当用のスケジュールリソース割当モード及び自律リソース選択モードの２つのモードで動作可能なモバイル無線通信デバイスにより実行される方法であって、
基地局へ、ＢＳＲ（ｂｕｆｆｅｒ  ｓｔａｔｕｓ  ｒｅｐｏｒｔ）を送信するステップと、
前記基地局から、前記モバイル無線通信デバイスにより前記デバイス間通信用に前記自律リソース選択モードで使用される無線リソースのプールを識別する第１構成ＩＥ（ｉｎｆｏｒｍａｔｉｏｎ  ｅｌｅｍｅｎｔ）を含むＳＩＢ（ｓｙｓｔｅｍ  ｉｎｆｏｒｍａｔｉｏｎ  ｂｌｏｃｋ）を受信すると共に、時間期間を定義する第２構成ＩＥを含むＲＲＣ  ｄｅｄｉｃａｔｅｄシグナリングを受信するステップと、
前記スケジュールリソース割当モードを使用するように構成されているときに、前記自律リソース選択モードの使用を開始して、前記第１構成ＩＥにより識別された前記プールを使用するステップと、を含み、
前記基地局により前記ＲＲＣ  ｄｅｄｉｃａｔｅｄシグナリングを用いてシグナリングされた前記第２構成ＩＥにより定義された時間期間に、前記第１構成ＩＥにより識別された前記プールを使用する、
方法。
【請求項８】
コンピュータデバイス用のコンピュータプログラムであって、前記コンピュータデバイス上にロードされる場合に、請求項１に記載の方法を実行するように構成されている、
コンピュータプログラム。
【請求項９】
基地局により実行され、無線通信ネットワーク環境内のデバイス間通信をサポートするモバイル無線通信デバイスであって、リソース割当用のスケジュールリソース割当モード及び自律リソース選択モードの２つのモードで動作可能なモバイル無線通信デバイスに、無線リソース割当モードに応じた無線リソースを示す方法であって、
前記モバイル無線通信デバイスによりシグナリングされたＢＳＲ（ｂｕｆｆｅｒ  ｓｔａｔｕｓ  ｒｅｐｏｒｔ）を受信するステップと、
前記デバイス間通信用に前記自律リソース選択モードで使用される無線リソースのプールを識別する第１構成ＩＥ（ｉｎｆｏｒｍａｔｉｏｎ  ｅｌｅｍｅｎｔ）を、ＳＩＢ（ｓｙｓｔｅｍ  ｉｎｆｏｒｍａｔｉｏｎ  ｂｌｏｃｋ）を用いて、シグナリングすると共に、前記モバイル無線通信デバイスが前記第１構成ＩＥにより識別された前記プールを使用する時間期間を定義する第２構成ＩＥを、ＲＲＣ  ｄｅｄｉｃａｔｅｄシグナリングを用いて、シグナリングするステップを含む、
方法。
【手続補正２】
【補正対象書類名】明細書
【補正対象項目名】発明の名称
【補正方法】変更
【補正の内容】
【発明の名称】システム、基地局、モバイル無線通信デバイス、方法、コンピュータプログラム